(57)【要約】【課題】フラッフパルプを含まず、薄型、軽量であり、吸収・拡散能力などの吸収性能に優れ、かつ触感の良い吸収性物品を提供することを目的とする。【解決手段】本発明の吸収性物品１は、液透過性のトップシート２０と、液不透過性のバックシート２１と、トップシート２０とバックシート２１の間に設けられた吸収体３０と、を有する吸収性物品であって、吸収体３０は、トウからなる繊維集合体と前記繊維集合体の内部に固着担持された高吸収性ポリマーと、を有し、吸収体３０とバックシート２１との間に吸収体３０と略同寸の第１粘着層４０を有する。【選択図】図２
2020137685.tif 000002
【特許請求の範囲】
【請求項１】
液透過性のトップシートと、液不透過性のバックシートと、前記トップシートと前記バックシートの間に設けられた吸収体と、を有する吸収性物品であって、
前記吸収体は、トウからなる繊維集合体と前記繊維集合体の内部に固着担持された高吸収性ポリマーと、を有し、
前記吸収体と前記バックシートとの間に吸収体と略同寸かそれよりも小さい第１粘着層を有することを特徴とする、吸収性物品。
【請求項２】
前記トウからなる繊維集合体の坪量は、２０ｇ／ｍ２以上１００ｇ／ｍ２以下であり、
前記高吸収性ポリマーの坪量は、６０ｇ／ｍ２以上５００ｇ／ｍ２以下であり、前記トウからなる繊維集合体の坪量に対して、０．６倍以上５．０倍以下であることを特徴とする請求項１に記載の吸収性物品。
【請求項３】
前記高吸収性ポリマーの前記トウからなる繊維集合体への担持率は、７０％以上であることを特徴とする請求項１又は請求項２に記載の吸収性物品。
【請求項４】
前記トウからなる繊維集合体の構成繊維が、セルロースアセテートからなる繊維であることを特徴とする請求項１から請求項３のいずれか１項に記載の吸収性物品。
【請求項５】
前記トップシートと前記吸収体との間に、前記吸収体と略同寸かそれよりも小さい第２粘着層を有することを特徴とする請求項１から請求項４のいずれか１項に記載の吸収性物品。
【請求項６】
前記第１粘着層及び第２粘着層がホットメルト接着剤の塗布により構成されており、前記ホットメルト接着剤の塗布面積が前記第１及び第２粘着層領域の５０％以上であることを特徴とする請求項５に記載の吸収性物品。
【請求項７】
前記第１粘着層又は第２粘着層は、接着剤塗布部分と接着剤未塗布部分が交互に連続的に繰り返されて構成されている請求項１から請求項６のいずれか１項に記載の吸収性物品。
【発明の詳細な説明】
【技術分野】
【０００１】
本発明は、吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿等の体液は、トップシートを通って吸収体に吸収される。また、吸収体としては、フラッフパルプと高吸収性ポリマー（Ｓｕｐｅｒ  Ａｂｓｏｒｂｅｎｔ  Ｐｏｌｙｍｅｒ；ＳＡＰとも称される）を含有する吸収性コアが、クレープ紙等のキャリアシートで包まれた態様が広く知られている。これらの吸収体は、フラッフパルプ短繊維及び高吸収性ポリマーを積繊ドラム上で積繊し、吸収性コアを作製した後に、キャリアシートに包まれることにより、形成される。
【０００３】
一方で、フラッフパルプ短繊維の積繊体の代わりに、フィラメント状の長繊維ウェブで構成されたトウ（繊維束）を開繊したもの（以下、トウからなる繊維集合体と称する）を吸収体に用いることが提案されている。フラッフパルプの代わりにトウからなる繊維集合体を用いることにより、柔軟性及び可撓性に優れる吸収体を用いることにより、衣服の下に吸収性物品を着用していることを目立たなくすることができ、フィット性も向上する。
【０００４】
近年、吸収性物品を着けていることが目立たない、また着用時に違和感がなく、つけている感がない製品が望まれており、トウからなる繊維集合体を含有する吸収体を用いた様々な吸収性物品の態様が提案されている。  
例えば、特許文献１には、トウを開繊したフィラメントの集合体及び高吸収性ポリマー粒子を有するとともに、股間部の両側部における高吸収性ポリマー粒子の坪量が主吸収部分よりも少ないことを特徴とする吸収体を用いた吸収性物品が開示されている。
また、特許文献２には、トウを開繊したフィラメントの集合体及び高吸収性ポリマー粒子を有する吸収体を含み、当該吸収体に対して裏面側に、フィラメントから抜け出た高吸収性ポリマーを保持する保持シートが設けられた吸収性物品が開示されている。
【先行技術文献】
【特許文献】
【０００５】
【特許文献１】特開２００６−３２０４４３号公報
【特許文献２】特開２００８−２９５６４５号公報
【発明の概要】
【発明が解決しようとする課題】
【０００６】
しかしながら、吸収性物品を上記の態様で薄型化、軽量化する場合、ある程度の吸収性能を犠牲にしなければならない。特に、吸収体面積の狭い軽失禁製品や尿取りパッドにおいては十分な吸収性能が保たれない。
【０００７】
また、吸収性能を高めるためにトウからなる繊維集合体への高吸収性ポリマーの担持率を上げると、繊維集合体から高吸収性ポリマーの脱落が発生し、吸収性能の低下及び触感の悪化が起こり易い。
【０００８】
本発明は以上の課題に鑑みてなされたものであり、フラッフパルプを含まず、薄型、軽量であり、吸収・拡散能力などの吸収性能に優れ、かつ触感の良い吸収性物品を提供することを目的とする。
【課題を解決するための手段】
【０００９】
本発明は、上記課題を解決するために、（１）本発明の吸収性物品は、液透過性のトップシートと、液不透過性のバックシートと、前記トップシートと前記バックシートの間に吸収体と、を有する吸収性物品であって、前記吸収体は、トウからなる繊維集合体と前記繊維集合体の内部に固着担持された高吸収性ポリマーと、を有し、前記吸収体と前記バックシートとの間に吸収体と略同寸かそれよりも小さい第１粘着層を有する。
【００１０】
（２）（１）の吸収性物品であって、前記トウからなる繊維集合体の坪量は、２０ｇ／ｍ２以上１００ｇ／ｍ２以下であり、前記高吸収性ポリマーの坪量は、６０ｇ／ｍ２以上５００ｇ／ｍ２以下であり、前記トウからなる繊維集合体の坪量に対して、０．６倍以上５．０倍以下である。
【００１１】
（３）（１）又は（２）に記載の吸収性物品であって、前記高吸収性ポリマーの前記トウからなる繊維集合体への担持率は、７０％以上である。
【００１２】
（４）（１）から（３）のいずれか１の吸収性物品であって、前記繊維集合体の構成繊維が、セルロースアセテートからなる繊維である。
【００１３】
（５）（１）から（４）のいずれか１の吸収性物品であって、前記トップシートと前記吸収体との間に、前記吸収体と略同寸かそれよりも小さい第２粘着層を有する。
【００１４】
（６）（１）から（５）のいずれか１の吸収性物品であって、前記第１粘着層及び第２粘着層がホットメルト接着剤の塗布により構成されており、前記ホットメルト接着剤の塗布面積が前記第１及び第２粘着層領域の５０％以上である。
【００１５】
（７）（１）から（６）のいずれか１の吸収性物品であって、前記第１粘着層又は第２粘着層は、接着剤塗布部分と接着剤未塗布部分が交互に連続的に繰り返されて構成されている。
【発明の効果】
【００１６】
本発明によれば、フラッフパルプを含まず、薄型、軽量であり、吸収・拡散能力などの吸収性能に優れ、かつ触感の良い吸収性物品を提供することができる。
【図面の簡単な説明】
【００１７】
【図１】本実施形態に係る吸収性物品１をトップシート２０側から見た平面図である。
【図２】図１のラインＢ−Ｂに沿った吸収性物品１の概略的な断面図である。
【図３】本発明の実施形態に係る吸収性物品の粘着層の拡大図である。
【図４】高吸収性ポリマーの、トウからなる繊維集合体への担持率を測定する方法を説明するために用いる図面である。
【発明を実施するための形態】
【００１８】
以下に、実施形態について詳細に説明するが、これらは例示の目的で掲げたものでこれらにより本発明を限定するものではない。なお、実施形態の説明の全体を通して同じ要素には同じ符号を付している。また、本明細書の説明において、吸収性物品１の着用時とは、吸収性物品１の着用時及び着用後の少なくとも一方をいう。吸収性物品１の長手方向とは、吸収性物品１が着用されたときに着用者の前後にわたる方向であり、図中、符号Ｙで示す方向である。また、吸収性物品１の幅方向とは、長手方向に対して横又は直交する方向であり、図中、符号Ｘで示す方向である。
【００１９】
さらに、肌当接面とは、吸収体等の各部材の表裏両面のうち、着用時に着用者の肌側に配される面であり、非肌当接面とは、吸収体等の各部材の表裏両面のうち、着用時に着用者の肌側とは反対側に向けられる面である。体液とは、尿や血液、軟便中の水分等の体内から体外に排出された液体をいう。さらに、吸収性物品１としては、ベビー用又は成人用を問わず、軽失禁パッド、パンツ型紙おむつ、テープ止め紙おむつが例示されるが、これに限定されるものではなく、その他の吸収性物品であってもよい。
【００２０】
［吸収性物品］
図１は、本実施形態に係る吸収性物品１をトップシート２０側から見た平面図である。図２は、図１のラインＢ−Ｂに沿った吸収性物品１の概略的な断面図である。図２は、層構造の説明図であり、各部が非常に概略的に示されている。
【００２１】
図１〜図２に示すように、吸収性物品１は、肌当接面側に配された液透過性のトップシート２０と、トップシート２０に対向して非肌当接面側に配置された液不透過性のバックシート２１と、トップシート２０とバックシート２１との間に配置された吸収体３０と、を備える。吸収体３０は、トップシート２０とバックシート２１の間に挟まれる構造となっている。
【００２２】
また、吸収性物品１には、使用者の排泄した体液の横漏れを防止するため、吸収性物品１の長手方向に沿って、トップシート２０上に、立体ギャザー用弾性部材を有する一対の立体ギャザー８０を備えていてもよい。吸収性物品１の幅方向における立体ギャザー８０の外端は、バックシート２１に固定され、その内端はトップシート２０に固着され、その中央はトップシート２０に固定されない自由端となるように、立体ギャザーシートが配される。立体ギャザー用弾性部材を長手方向に沿って設けることで、立体ギャザー８０が起立性を有し、着用者の体型に合わせて変形可能なものとなる。立体ギャザー用弾性部材としては、例えば、ポリウレタン糸、帯状のポリウレタンフィルム、糸状又は帯状の天然ゴム等が使用され、立体ギャザーシートとしては、疎水性繊維にて形成された撥水性又は不透液性の不織布、例えば、スパンボンド不織布やメルトブロー不織布、スパンボンド／メルトブロー／スパンボンドを積層した複合不織布等が使用される。
【００２３】
＜トップシート＞
トップシート２０は、体液が吸収体３０へと移動するような液透過性を備えた基材から形成されればよく、例えば、エアスルー不織布、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２０には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２０には、ローション、酸化防止剤、抗炎症成分、ｐＨ調整剤、抗菌剤、保湿剤等を含有させてもよい。
【００２４】
強度、加工性及び液戻り量の点から、トップシート２０の坪量は、１８ｇ／ｍ２以上４０ｇ／ｍ２以下であることが好ましい。トップシート２０の形状としては特に制限はないが、漏れがないように体液を吸収体３０へと誘導するために必要とされる、吸収体３０を覆う形状であればよい。
【００２５】
＜バックシート＞
バックシート２１は、吸収体３０が保持している体液が衣類を濡らさないような液不透過性を備えた基材を用いて形成されればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００２６】
強度及び加工性の点から、バックシート２１の坪量は、１５ｇ／ｍ２以上４０ｇ／ｍ２以下であることが好ましい。また、装着時の蒸れを防止するため、バックシート２１には、通気性を持たせることが好ましい。バックシート２１に通気性を備えさせるためには、例えば、基材の樹脂フィルムにフィラーを配合したり、バックシート２１にエンボス加工を施したりすればよい。なお、フィラーとしては炭酸カルシウムを挙げることができ、その配合方法は、公知の方法を制限なく行うことができる。
【００２７】
＜吸収体＞
吸収体３０は、トウからなる繊維集合体と繊維集合体の内部に固着担持された高吸収性ポリマーと、を有する。
吸収性ポリマーは、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
吸収体３０の厚みは、吸収速度を良好にしつつ、着用感を損なわないように１．５ｍｍ以上３．０ｍｍ以下であることが好ましい。また、吸収体３０の、長手方向の寸法は９５ｍｍ以上３９５ｍｍ以下、幅方向の寸法は２５ｍｍ以上１０５ｍｍ以下、であることが好ましい。
【００２８】
トウからなる繊維集合体は、トウを開繊した長繊維フィラメントの集合体であり、長繊維の配向方向が揃うように収束されている。本発明においては、長繊維の配向方向が、吸収性物品１の長手方向となるように、配置することが好ましい。例えば、連続フィラメントのトウを開繊し、適当な長さに切断することで、長繊維の束から構成された繊維集合体を製造することができる。
【００２９】
トウからなる繊維集合体の基材としては、綿等に由来する天然セルロース、レーヨン等の再生セルロース、セルロースアセテート、ポリエチレン、ポリプロピレン、ＰＥＴ等を用いることができ、これらの中でも、綿等に由来する天然セルロース、レーヨン等の再生セルロース、セルロースアセテートを用いることが好ましく、嵩高さを得やすく、吸収体３０に柔軟性及び可撓性を付与できる、セルロースアセテートからなる繊維を繊維集合体の構成繊維とすることがより好ましい。
また、トウからなる繊維集合体の繊度は、特に限定されないが、吸収性コア４１が所望の性能を発揮し、使用上十分な強度を有するようにする点から、例えば、０．１ｄｔｅｘ以上１０ｄｔｅｘ以下であればよい。
【００３０】
また、トウからなる繊維集合体において、繊維間の絡みが弱いため、絡みを融着して固定させる目的で、バインダーを用いることが好ましい。バインダーとしては、トリアセチン等を用いることができる。
【００３１】
トウからなる繊維集合体の坪量は、２０ｇ／ｍ２以上１００ｇ／ｍ２以下である。トウからなる繊維集合体の坪量が上記の範囲であることにより、吸収性を担保できる程度に高吸収性ポリマーを担持でき、柔軟性及び可撓性に優れる吸収体３０を得ることができる。トウからなる繊維集合体の坪量が１００ｇ／ｍ２を超えると、吸収性４０の厚みを薄くする際の圧縮の度合いが大きくなり、トウからなる繊維集合体の本来の柔軟性及び可撓性が損なわれるため好ましくない。
【００３２】
また、高吸収性ポリマーの坪量は、６０ｇ／ｍ２以上５００ｇ／ｍ２以下であり、高吸収性ポリマーの坪量は、トウからなる繊維集合体の坪量に対して、０．６倍以上５．０倍以下である。これにより、必要な吸収量を確保できるとともに、トウからなる繊維集合体が高吸収性ポリマーを良好に担持することができ、着用時にざらざらとした違和感が生じることによる着用感の低下を避けることができる。トウからなる繊維集合体の坪量に対する、高吸収性ポリマーの坪量が、５．０倍を超えると、トウからなる繊維集合体が高吸収性ポリマーを良好に担持することができなくなる。
また、高吸収性ポリマーの坪量は、６０ｇ／ｍ２以上３００ｇ／ｍ２以下であり、高吸収性ポリマーの坪量は、トウからなる繊維集合体の坪量に対して、０．６倍以上３．０倍以下であることが好ましい。
【００３３】
本発明において、高吸収性ポリマーの、トウからなる繊維集合体への担持率は、７０％以上であるため、着用時にざらざらとした違和感が生じることによる着用感の低下を避けることができる。以下、高吸収性ポリマーの、トウからなる繊維集合体への担持率の測定方法について、図４を用いて説明する。
【００３４】
（１）まず、吸収体３０を作製する前の、トウからなる繊維集合体に高吸収性ポリマーを担持したシート（縦３７０ｍｍ、横１１０ｍｍ）と試験後に脱落する高吸収性ポリマーを回収する容器を用意する。
（２）当該シートの縦方向の他方端部が下になるように、縦方向の一方端部の横方向両端部（図４における符号ａ）を把持する。このとき、当該シートの縦方向の他方端部が、上記容器の底面から約３０ｃｍの位置となるように調整する。
（３）その後、下方向（図４におけるｂの矢印の方向）に約５ｃｍ変位させ、元の位置に戻す、という振るい操作を連続的に往復２０回行う。
（４）容器に脱落した高吸収性ポリマーの重量を測定し、{（振るい前の上記シートに担持させた高吸収性ポリマーの重量−脱落した高吸収性ポリマーの重量）／振るい前の上記シートに担持させた高吸収性ポリマーの重量}×１００の式で算出される数値を、高吸収性ポリマーの、トウからなる繊維集合体への担持率（％）とする。
【００３５】
吸収体３０において、吸収性繊維及び高吸収性ポリマーの形態は、吸収性繊維中に高吸収性ポリマー粒子を混合して形成したもの、又は吸収性繊維間に高吸収性ポリマー粒子を固着した高吸収性ポリマーシートであることが好ましい。また、高吸収性ポリマー粒子の漏洩防止や吸収体３０の形状の安定化の目的から、吸収体３０をキャリアシート９０に包んでもよい。この場合、キャリアシート９０は、図２に示すように、吸収体３０全体を包んでもよい。キャリアシート９０の基材としては親水性を有するものであればよく、ティシュ、吸収紙、エアレイド不織布等の親水性不織布を挙げることができる。キャリアシート９０を複数備える場合は、キャリアシート９０の基材は同一のものであっても異なるものであってもよい。
【００３６】
＜第１粘着層、第２粘着層＞
吸収性物品１は、吸収体３０とバックシート２１との間に吸収体３０と略同寸の第１粘着層４０と、トップシート２０と吸収体３０との間に、吸収体３０と略同寸の第２粘着層５０と、を有する。
【００３７】
第１粘着層４０がホットメルト接着剤の塗布により構成されており、ホットメルト接着剤の塗布面積が第１粘着層４０領域の５０％以上であることが好ましい。
第１粘着層４０の寸法は、吸収体３０と略同寸法かそれよりも小さいことが好ましく、第１粘着層４０の、長手方向の寸法は９５ｍｍ以上３９５ｍｍ以下、幅方向の寸法は２５ｍｍ以上１０５ｍｍ以下、であることが好ましい。
第１粘着層４０を設けることにより、吸収体３０の繊維集合体から高吸収性ポリマーの脱落を減少させることができ、脱落した高吸収性ポリマーを固定することができる。高吸収性ポリマーを固定することができるため、吸収量の低下や偏りを抑え、また脱落した高吸収性ポリマーによる触感の悪化を低減することができる。
【００３８】
第２粘着層５０もホットメルト接着剤の塗布により構成されており、ホットメルト接着剤の塗布面積が第２粘着層５０領域の５０％以上であることが好ましい。
第２粘着層５０の寸法は、吸収体３０と略同寸法かそれよりも小さいことが好ましく、第２粘着層５００の、長手方向の寸法は９５ｍｍ以上３９５ｍｍ以下、幅方向の寸法は２５ｍｍ以上１０５ｍｍ以下、であることが好ましい。
第２粘着層５０を設けることにより、吸収体３０の繊維集合体から高吸収性ポリマーの脱落を減少させ、脱落した高吸収性ポリマーを固定することができる。高吸収性ポリマーを固定することができるため、吸収量の低下や偏りを抑え、また脱落した高吸収性ポリマーによる触感の悪化を低減することができる。
【００３９】
図３は、本発明の実施形態に係る吸収性物品の粘着層の拡大図である。
第１粘着層４０又は第２粘着層は、接着剤塗布部分４１と接着剤未塗布部分４２が交互に連続的に繰り返されて構成されている。接着剤塗布部分４１と接着剤未塗布部分４２が交互に繰り返すことで、ホットメルト接着剤を全面に塗布するよりも塗布量を減らすことができ、少ない塗布量では全面塗布よりも効果的に高吸収性ポリマーを固定することができる。
【００４０】
本実施形態によれば、フラッフパルプを含まず、密度差を有するトウからなる繊維集合体より構成される吸収体を用い、吸収体の下層側に粘着層を設けることによって、繊維集合体から高吸収性ポリマーの脱落を減少させ、脱落した高吸収性ポリマーを固定し、薄型、軽量であり、吸収・拡散能力などの吸収性能に優れ、かつ触感の良く、着用感の良好な吸収性物品を提供することができる。
【００４１】
以上、本発明を、実施形態を用いて説明したが、本発明の技術的範囲は上記の実施形態の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４２】
１    吸収性物品
２０  トップシート
２１  バックシート
３０  吸収体
４０  第１粘着層
５０  第２粘着層
【図１】
2020137685.tif 000003
【図２】
2020137685.tif 000004
【図３】
2020137685.tif 000005
【図４】
2020137685.tif 000006